(57)【要約】【課題】車酔いを軽減可能な表示装置を提供すること。【解決手段】本体部に対して回動するモニターを備えた表示装置は、ユーザ毎に設定されたユーザ情報を取得するユーザ情報取得部と、選択されたユーザのユーザ情報が示す身体データに基づいて、ユーザに適したモニターの開角度を調整する角度自動調整部と、ユーザ情報が示す空気設定データに基づいて、ユーザの好みに合わせた空気環境を生成する空気清浄機能部と、当該表示装置が搭載された車両の挙動を検出する挙動検出部と、視覚情報と平衡感覚情報との矛盾を低減させるための合成映像を生成する合成映像生成部と、モニターに表示する映像に合成映像を重ねてモニターに表示するよう制御する再生映像制御部とを備える。【選択図】図２
2013148715.tif 000002
【特許請求の範囲】
【請求項１】
本体部に対して回動するモニターを備えた表示装置であって、
ユーザ毎に設定されたユーザ情報を取得するユーザ情報取得部と、
選択されたユーザのユーザ情報が示す身体データに基づいて、前記ユーザに適した前記モニターの開角度を調整する角度自動調整部と、
前記ユーザ情報が示す空気設定データに基づいて、前記ユーザの好みに合わせた空気環境を生成する空気清浄機能部と、
当該表示装置が搭載された車両の挙動を検出する挙動検出部と、
視覚情報と平衡感覚情報との矛盾を低減させるための合成映像を生成する合成映像生成部と、
前記モニターに表示する映像に前記合成映像を重ねて前記モニターに表示するよう制御する再生映像制御部と、
を備えたことを特徴とする表示装置。
【請求項２】
請求項１に記載の表示装置であって、
前記ユーザ情報が示す空気設定データに基づいて、芳香を出力する芳香機能部を備えたことを特徴とする表示装置。
【請求項３】
請求項１又は２に記載の表示装置であって、
前記角度自動調整部は、前記ユーザにとって前記モニターの表示面が垂直に見えるよう、前記モニターの開角度を調整することを特徴とする表示装置。
【請求項４】
請求項１〜３のいずれか一項に記載の表示装置であって、
当該表示装置は、前記車両の後部座席に乗車するユーザが視聴する位置に設けられたことを特徴とする表示装置。
【発明の詳細な説明】
【技術分野】
【０００１】
本発明は、本体部に対して回動するモニターを備えた表示装置に関する。
【背景技術】
【０００２】
特許文献１に開示された映像表示装置は、視覚情報と平衡感覚情報との矛盾を低減させるための背景映像を、車速や加速度に応じて表示のさせ方を変更した前景映像に合成して表示する。当該映像表示装置によれば、視覚情報と平衡感覚情報との矛盾により生じる車酔いを防止することができる。
【先行技術文献】
【特許文献】
【０００３】
【特許文献１】特開２００８−２４２２５１号公報
【発明の概要】
【発明が解決しようとする課題】
【０００４】
上記説明した特許文献１の映像表示装置をフリップダウン式の後部座席用ディスプレイ（リアシートエンターテイメントシステム）に適用した場合、ディスプレイの角度又は乗車している人の目の高さとの関係などによって、所望の効果が得られないことが考えられる。例えば、加速度に応じて前景映像を傾斜させても、ディスプレイの角度によっては映像が傾斜しているように見えない。また、後部座席に乗車するユーザの身長によっては、ディスプレイの角度調整を毎度行う作業が手間となる。
【０００５】
さらに、車酔い（car sickness）の要因は、感覚の矛盾だけでなく、視覚的な色の刺激又は車内の匂いもある。例えば、車内がタバコの匂いや石油の匂い、エアコンのカビ等といった匂いに満ちていると、車酔いに至る可能性が一層高くなる。したがって、特許文献１の映像表示装置による対策だけでは車酔いを軽減しきれない。
【０００６】
本発明の目的は、車酔いを軽減可能な表示装置を提供することである。
【課題を解決するための手段】
【０００７】
本発明は、本体部に対して回動するモニターを備えた表示装置であって、ユーザ毎に設定されたユーザ情報を取得するユーザ情報取得部と、選択されたユーザのユーザ情報が示す身体データに基づいて、前記ユーザに適した前記モニターの開角度を調整する角度自動調整部と、前記ユーザ情報が示す空気設定データに基づいて、前記ユーザの好みに合わせた空気環境を生成する空気清浄機能部と、当該表示装置が搭載された車両の挙動を検出する挙動検出部と、視覚情報と平衡感覚情報との矛盾を低減させるための合成映像を生成する合成映像生成部と、前記モニターに表示する映像に前記合成映像を重ねて前記モニターに表示するよう制御する再生映像制御部と、を備えた表示装置を提供する。
【０００８】
上記表示装置は、前記ユーザ情報が示す空気設定データに基づいて、芳香を出力する芳香機能部を備える。
【０００９】
上記表示装置では、前記角度自動調整部は、前記ユーザにとって前記モニターの表示面が垂直に見えるよう、前記モニターの開角度を調整する。
【００１０】
上記表示装置は、前記車両の後部座席に乗車するユーザが視聴する位置に設けられる。
【発明の効果】
【００１１】
本発明によれば、モニターの開角度がユーザ毎に最適な角度に調整され、ユーザがリラックスできる空気環境も同時に得られるため、視覚情報と平衡感覚情報との矛盾により生じる車酔いを軽減可能である。
【図面の簡単な説明】
【００１２】
【図１】本発明の一実施形態の後部座席用表示装置を示す外観図
【図２】後部座席用表示装置の機能ブロック図
【図３】格子状の表示パターンの合成映像を示す図
【図４】放射状の表示パターンの合成映像を示す図
【図５】水玉模様の表示パターンの合成映像を示す図
【図６】前後左右に移動させたり回転した合成映像を示す図
【図７】ユーザにとって映像表示部１６の表示面が垂直に見えるときの状態を示す図
【図８】図２に示した後部座席用表示装置２０のネットワーク通信部９が通信するサーバの内部構成を示すブロック図
【図９】ユーザ情報記憶部２に格納されたユーザ情報の概念図
【図１０】身体データの入力画面
【図１１】合成映像の表示パターンの選択画面
【図１２】合成映像の表示色の選択画面
【図１３】空気環境の選択画面
【図１４】ユーザの選択画面
【図１５】図２に示した後部座席用表示装置の動作を示すフローチャート
【図１６】差分項目兼優先項目選択画面を示す図
【図１７】映像表示部１６の開角度を調整する前の状態を示す図
【図１８】映像表示部１６の開角度を調整した状態を示す図
【図１９】図２に示した後部座席用表示装置が通信するサーバの動作を示すフローチャート
【発明を実施するための形態】
【００１３】
以下、本発明の実施形態について、図面を参照して説明する。
【００１４】
図１は、本発明の一実施形態の後部座席用表示装置を示す外観図である。図１に示す後部座席用表示装置２０は、四輪車等の車両の後部座席の人のために設けられ、フリップダウンモニターに映像が表示される。なお、図１に示すように、フリップダウンモニターは、後部座席用表示装置２０の本体部に対して、点線の矢印で示すように開閉可能である。また、後部座席用表示装置２０は、運転席や助手席の乗員のための表示装置として構成されても良い。
【００１５】
図２は、図１に示した後部座席用表示装置の内部構成を示すブロック図である。図２に示すように、後部座席用表示装置２０は、ネットワーク通信部９と、ユーザ情報取得部１０と、ユーザ情報確定部１１と、芳香機能部１２と、空気清浄機能部１３と、挙動検出部２３と、合成映像生成部１４と、再生映像制御部１５と、映像表示部１６と、角度検出部１７と、角度自動調整部１８と、音声制御部１９とを備える。
【００１６】
ネットワーク通信部９は、後部座席用表示装置２０の起動時にネットワークを経由してサーバから送信されたデータを受信し、当該データをユーザ情報取得部１０に送る。ユーザ情報取得部１０は、システム起動時にネットワーク通信部９から得られたデータに含まれるユーザ情報を取得し、当該ユーザ情報をユーザ情報確定部１１に送る。ユーザ情報確定部１１は、ユーザに応じた各機能の設定情報を確定する。なお、後部座席に複数のユーザが乗車する場合、ユーザ情報確定部１１は、各機能の設定情報に複数のユーザ間で差分があれば、どのユーザの設定情報を優先させるか選択させる。
【００１７】
芳香機能部１２は、ユーザの設定に応じて芳香機能のオン／オフを行う。例えば、ユーザ情報確定部１１によって確定された設定情報に含まれる空気設定データが空気清浄機能のオンかつ芳香機能のオンを示す場合、芳香機能部１２は芳香機能をオンに設定する。また、空気清浄機能がオフまたは芳香機能がオフの場合、芳香機能部１２は芳香機能をオフに設定する。芳香機能部１２は、芳香機能のオン／オフを確定し次第、空気設定データを空気清浄機能部１３に送る。
【００１８】
空気清浄機能部１３は、ユーザの設定に応じて空気清浄機能のオン／オフを行う。例えば、芳香機能部１２から送られた空気設定データが空気清浄機能のオンを示す場合、空気清浄機能部１３は空気清浄機能をオンに設定する。また、空気清浄機能がオフの場合、空気清浄機能部１３は空気清浄機能をオフに設定する。なお、空気清浄機能部１３は、脱臭機能を有していても良い。
【００１９】
挙動検出部２３は、後部座席用表示装置２０が設けられた車両の進行方向における加速度、遠心方向における加速度、及びヨー回転方向における加速度を検出する。挙動検出部２３は、検出した各加速度の情報を合成映像生成部１４に送る。
【００２０】
合成映像生成部１４は、ユーザ情報確定部１１によって確定された設定情報に含まれる背景設定データと色設定データに応じて、車酔い防止のための表示パターンの合成映像を緑色、黄色又は青色の格子状、放射状又は水玉の模様で生成する。図３は、格子状の表示パターンの合成映像を示す図である。また、図４は、放射状の表示パターンの合成映像を示す図である。また、図５は、水玉模様の表示パターンの合成映像を示す図である。
【００２１】
さらに、合成映像生成部１４は、車両の進行方向及び加速度に応じて、表示パターンの合成映像（以下、単に「合成映像」という）を、図６に示すように前後左右に移動させたり回転させる。このとき、加速度に応じて合成画像の上下サイズが変更されれば、加速を体感できる合成映像になる。
【００２２】
再生映像制御部１５は、車載ＬＡＮ経由で入力された映像や内蔵のメディアプレーヤー又は外部接続機器から入力された映像を映像表示部１６に表示するよう制御する。なお、再生映像制御部１５が表示制御する映像は、ユーザ情報確定部１１によって確定された設定情報には影響を受けない。映像表示部１６は、合成映像生成部１４からの合成映像を背景に再生映像制御部１５からの映像を合成した映像を表示するフリップダウンモニターである。なお、映像表示部１６は、後部座席用表示装置２０の本体部に対して回動する。図１に示すように、映像表示部１６が本体部に対して開いた状態のとき、後部座席のユーザは映像を見ることができる。
【００２３】
角度検出部１７は、後部座席用表示装置２０の本体部に対する映像表示部１６の開角度を検出し、その角度データを角度自動調整部１８に送る。角度自動調整部１８は、ユーザ情報確定部１１によって確定された設定情報に含まれるユーザの身体データから適切な開角度を算出し、映像表示部１６の開角度が当該適切な開角度になるよう調整する。なお、角度自動調整部１８は、身体データに含まれる身長データと映像表示部１６の高さの差分を導出し、座席位置から映像表示部１６の位置までの距離と高さの差分から、ユーザにとって映像表示部１６の表示面が垂直に見えるときの開角度を適切な開角度として算出する。図７は、ユーザにとって映像表示部１６の表示面が垂直に見えるときの状態を示す図である。
【００２４】
音声制御部１９は、車載ＬＡＮ経由で入力された音声や内蔵のメディアプレーヤー又は外部接続機器から入力された音声を、アンプを介してスピーカーから出力するか、ヘッドホンから出力するよう制御する。
【００２５】
図８は、図２に示した後部座席用表示装置２０のネットワーク通信部９が通信するサーバの内部構成を示すブロック図である。図８に示すように、サーバは、ユーザ情報設定部１と、ユーザ情報記憶部２と、ネットワーク通信部３とを備える。
【００２６】
ユーザ情報設定部１は、サーバに入力されたユーザ情報をユーザ情報記憶部２に格納する。図９は、ユーザ情報記憶部２に格納されたユーザ情報の概念図である。図９に示すように、ユーザ情報には、身体データと、背景設定データと、色設定データと、空気設定データとが含まれる。
【００２７】
身体データの設定時、ユーザ情報設定部１は、図１０に示した入力画面をサーバのディスプレイに表示して、ユーザの名前、身長及び体重を含む身体データの入力を促す。また、背景設定データの設定時、ユーザ情報設定部１は、図１１に示した選択画面をサーバのディスプレイに表示して、合成映像生成部１４が生成する合成映像の表示パターンの選択を促す。なお、当該選択画面が表示されたとき、ユーザは好みの表示パターンを選択すれば良い。
【００２８】
また、色設定データの設定時、ユーザ情報設定部１は、図１２に示した選択画面をサーバのディスプレイに表示して、合成映像生成部１４が生成する合成映像の色の選択を促す。当該選択画面が表示されたとき、ユーザはリラックスできる色を選択すれば良い。また、空気設定データの設定時、ユーザ情報設定部１は、図１３に示した選択画面をサーバのディスプレイに表示して、芳香機能及び空気清浄機能のオン／オフの選択を促す。当該選択画面が表示されたとき、ユーザは好みの空気環境を選択すれば良い。
【００２９】
ユーザ情報記憶部２に格納されたユーザ情報を更新する場合、ユーザ情報設定部１は、図１４に示した選択画面をサーバのディスプレイに表示して、更新するユーザの選択を促す。ユーザ情報設定部１は、選択されたユーザのユーザ情報をユーザ情報記憶部２から読み出し、再度入力又は選択された情報をユーザ情報記憶部２に格納する。なお、ユーザ情報記憶部２に格納されたユーザ情報を消去する場合も同様に、ユーザ情報設定部１は、図１４に示した選択画面をサーバのディスプレイに表示して、消去するユーザの選択を促す。ユーザ情報設定部１は、選択されたユーザのユーザ情報をユーザ情報記憶部２から消去する。
【００３０】
ユーザ情報記憶部２は、ユーザ情報を記憶する。ネットワーク通信部３は、ネットワークを経由して後部座席用表示装置２０にユーザ情報を送信する。
【００３１】
以下、図２に示した後部座席用表示装置の動作について、図１５を参照して説明する。図１５は、図２に示した後部座席用表示装置の動作を示すフローチャートである。後部座席用表示装置２０が起動した際にネットワーク通信部９がサーバにアクセスし、ユーザ情報取得部１０は、ネットワーク通信部９が受信した全ユーザのユーザ情報を取得する（ステップＳ１０）。次に、ユーザ情報取得部１０は、取得したユーザ情報に応じたユーザ一覧を作成し、後部座席に乗車するユーザの選択を促す（ステップＳ１１）。なお、このとき選択されるユーザの数は複数であっても良い。
【００３２】
ユーザ情報確定部１１は、ステップＳ１１で選択されたユーザのユーザ情報から、各ユーザの身体データに含まれる身長データ、背景設定データ、色設定データ、空気設定データをデータ毎にユーザ間で比較し、差分の有無を判断する（ステップＳ１２）。ステップＳ１１で選択されたユーザが１名の場合や複数ユーザのユーザ情報に差分がない場合はステップＳ１３に進み、複数ユーザのユーザ情報に差分がある場合はステップＳ２１に進む。
【００３３】
ステップＳ２１では、ユーザ情報確定部１１は、図１６に一例として示される差分項目兼優先項目選択画面を表示し、どの設定を優先させるかの選択を促す。図１６に示した例は、合成映像の表示パターンの色を緑色にするか黄色にするかを選択するよう促す差分項目兼優先項目選択画面である。ステップＳ２１の後はステップＳ１３を行う。
【００３４】
ステップＳ１３では、角度自動調整部１８は、映像表示部１６の開角度の自動調整を行う。このとき、映像表示部１６は、まず初期設定の角度又は前回使用時の角度で開く。その後、角度自動調整部１８は、ユーザ情報に含まれる身長データと映像表示部１６の高さの差分を導出し、座席位置から映像表示部１６の位置までの距離と高さの差分から、ユーザにとって映像表示部１６の表示面が垂直に見える状態となるよう映像表示部１６の開角度を調整する。図１７は、映像表示部１６の開角度を調整する前の状態を示す図である。また、図１８は、映像表示部１６の開角度を調整した状態を示す図である。
【００３５】
次に、空気清浄機能部１３は、ユーザ情報に含まれる空気設定データに応じて、空気清浄機能を起動する（ステップＳ１４）。但し、空気清浄を行わないとの設定がなされた空気設定データであれば、空気清浄機能部１３は空気清浄機能を起動しない。空気清浄［消臭］を行うとの設定がなされた空気設定データであれば、空気清浄機能部１３は空気清浄機能を起動し脱臭機能も起動する。一方、空気清浄［芳香］を行うとの設定がなされた空気設定データであれば、空気清浄機能部１３は空気清浄機能を起動するが、脱臭機能は起動しない。
【００３６】
次に、芳香機能部１２は、ユーザ情報に含まれる空気設定データに応じて、芳香機能を起動する（ステップＳ１５）。空気清浄を行わない又は空気清浄（脱臭）を行うとの設定がなされた空気設定データであれば、芳香機能部１２は芳香機能を起動せず、図示しない芳香機能付きフィルタを通風経路上から外す。一方、空気清浄（芳香）を行うとの設定がなされた空気設定データであれば、芳香機能部１２は芳香機能を起動して、芳香機能付きフィルタを通風経路上に装着する。
【００３７】
合成映像生成部１４は、ユーザ情報に含まれる背景設定データ及び色設定データに応じて、表示パターンの合成映像を生成する（ステップＳ１７）。次に、合成映像生成部１４は、ステップＳ１７で生成した合成映像を、車両の進行方向及び加速度に応じて前後左右に移動させたり回転させる（ステップＳ１８）。次に、再生映像制御部１５は、当該合成映像に車載ＬＡＮ経由で入力された映像や内蔵のメディアプレーヤー又は外部接続機器から入力された映像を重ね合わせた映像を生成する（ステップＳ１９）。次に、再生映像制御部１５は、ステップＳ１９で生成した映像を映像表示部１６に表示するよう制御する（ステップＳ２０）。
【００３８】
次に、図２に示した後部座席用表示装置が通信するサーバの動作について、図１９を参照して説明する。まず、ネットワークを介してサーバに接続可能な端末にて起動されたアプリケーション上で、後部座席用表示装置で利用されるユーザ情報の登録、更新又は消去が選択される（ステップＳ１）。
【００３９】
ステップＳ１で登録が選択された場合、サーバのユーザ情報設定部１を介してユーザの身体データがユーザ情報記憶部２に入力される（ステップＳ２）。次に、ユーザ情報設定部１を介して背景設定データが複数の表示パターンの中から選択される（ステップＳ３）。次に、ユーザ情報設定部１を介して色設定データが複数の表示パターンの中から選択される（ステップＳ４）。次に、ユーザ情報設定部１を介して空気設定データが「空気清浄なし」、「空気清浄［消臭］」及び「空気清浄［芳香］」の中から選択される（ステップＳ５）。次に、ユーザ情報設定部１は、ステップＳ２〜ステップＳ５で入力又は選択された情報をユーザ情報としてユーザ情報記憶部２に格納する（ステップＳ６）。
【００４０】
一方、ステップＳ１で更新又は消去が選択された場合、ユーザ情報の更新又は消去を行う対象のユーザがユーザ情報設定部１を介して選択される（ステップＳ８）。次に、更新の場合はステップＳ２に進み、消去の場合はステップＳ９に進む。ステップＳ９では、ユーザ情報設定部１を介して、ステップＳ８で選択されたユーザのユーザ情報がユーザ情報記憶部２から消去される。
【００４１】
以上説明したように、本実施形態の後部座席用表示装置２０によれば、フリップダウンモニターの開角度がユーザ毎に最適な角度に調整される。このため、様々なユーザが利用する環境でも、視覚情報と平衡感覚情報との矛盾により生じる車酔いを合成映像によって防止する効果を維持することができる。また、ユーザがリラックスできる空気環境も同時に得られるため、車酔いを軽減できる。
【産業上の利用可能性】
【００４２】
本発明に係る表示装置は、本体部に対して回動するモニターを備えた、車酔いを軽減可能な表示装置等として有用である。
【符号の説明】
【００４３】
２０  後部座席用表示装置
９  ネットワーク通信部
１０  ユーザ情報取得部
１１  ユーザ情報確定部
１２  芳香機能部
１３  空気清浄機能部
２３  挙動検出部
１４  合成映像生成部
１５  再生映像制御部
１６  映像表示部
１７  角度検出部
１８  角度自動調整部
１９  音声制御部
１  ユーザ情報設定部
２  ユーザ情報記憶部
３  ネットワーク通信部
【図１】
2013148715.tif 000003
【図２】
2013148715.tif 000004
【図３】
2013148715.tif 000005
【図４】
2013148715.tif 000006
【図５】
2013148715.tif 000007
【図６】
2013148715.tif 000008
【図７】
2013148715.tif 000009
【図８】
2013148715.tif 000010
【図９】
2013148715.tif 000011
【図１０】
2013148715.tif 000012
【図１１】
2013148715.tif 000013
【図１２】
2013148715.tif 000014
【図１３】
2013148715.tif 000015
【図１４】
2013148715.tif 000016
【図１５】
2013148715.tif 000017
【図１６】
2013148715.tif 000018
【図１７】
2013148715.tif 000019
【図１８】
2013148715.tif 000020
【図１９】
2013148715.tif 000021